(57)【要約】      （修正有）【課題】組み立てが容易で、運搬も手軽、しかも使用時に他人から覗かれることのない簡易トイレの提供。【解決手段】フレーム基材はアルミパイプ材などを使用し、遮蔽布の外装包布材には不透視の織布や不織布を使用し、軽量化を図っている。排便、排尿後の処理方法としては、生分解性フィルムを使用した袋を利用し、土壌に放置又は埋設することによって生分解させる。生分解性フィルムを使用した袋の中には、汚物、尿等の凝固材を内包し、使用後は、汚物、尿を凝固させる。【選択図】図１５
0003112085.tif 000002
【実用新案登録請求の範囲】
【請求項１】
図１、図２、に示す本考案のフレーム基材は軽金属からなり、その二つのフレーム基材を二箇所の支軸（４）及びナット（５）で軸着し、図３に示すように前記フレームには、便座受け軸Ａ（３−Ａ）及び便座受け軸Ｂ（３−Ｂ）を溶着し、図７で示すようにその便座受け軸Ａ（３−Ａ）及び便座受け軸Ｂ（３−Ｂ）に開脚ブリッジアーム（６）をブリッジの状態で軸着し、さらにその開脚ブリッジアーム（６）の上に、図７、図８及び図９で示すように便座（８）をビスなどで締着し、そのようにして完成したフレームに、図１４及び図１５で示すようにファスナー（１２）及びのぞき窓（１３）のついた遮蔽布（１１）をかぶせた状態で取り付け、さらに、排便処理袋（１０）には生分解性フィルムで製造した不透明の袋を使用し、その袋の中には、汚物、尿等の凝固材を内包すよるうに考案された、組み立て式簡易トイレ。
【考案の詳細な説明】
【技術分野】
【０００１】  本考案は、簡易組み立て式トイレに関するものである。
【背景技術】
【０００２】  従来、キャンプ場や建設現場などには、簡易のトイレが設備してあった。
また、震災現場などでも行政が仮設トイレを配備してくれている。
しかし、その数は殆ど足りてないのが現実で、公園のトイレや仮設トイレには何時も長蛇の列ができるばかりでなく、その使用状態は足の踏み場もないくらい不潔ものであった。
また、高速道路などで数十キロの渋滞に遭遇したときなどに排便、排尿をもよおしたときなどは、大変であった。男性の排尿の場合は、そうでもないが女性の場合は、深刻であった。
組み立て式トイレとして特開平８−２９４４６５や特願２００１−３６７９３４、特開２００４−２４２９７５のような先行出願はあつた。
【特許文献１】  特開平８−２９４４６５
【特許文献２】  特願２００１−３６７９３４
【特許文献３】  特開２００４−２４２９７５
【考案の開示】
【考案が解決しようとする課題】
【０００３】  従来、地震などの災害が発生した場合などで一番困ることはライフラインの崩壊であると言われている。
しかし、その中でも一番切実な問題は、自宅のトイレが使用できないことではないかと思われる。
自宅のトイレが使用できなければ、公園などの公衆トイレに被災者が大勢押し寄せてきます。
また、多くの人が使用するため、トイレの中は足の踏み場さえないような状況です。
行政機関も仮設トイレを設置はしているようですが、並みの数では足りるはずがありません。
そのような光景をテレビなどで見ると何とかしてあげたい、という気持ちが沸いてきます。
特に、女性の場合は最悪です。排尿行為にしても陰に隠れて済ますという訳にもいきません。
そこで発明考案された先願技術がいろいろ公開されています。
上記に述べた特許文献１の組み立て式トイレは先願があるが、その組み立て方法は簡易ではなく、運搬も容易ではありません。【０００４】  また、特許文献２や特許文献３の先行技術の作品は、用便時の遮蔽壁がなく、婦人が使用する場合は、羞恥心があり不都合でした。【０００５】  組み立てが容易で、運搬も手軽、しかも使用時に他人から覗かれることのない簡易トイレに関する。
【考案を解決するための手段】
【０００６】  本考案は、以上のことを鑑み、いつでも、どこでも、女性でも容易に組み立てができ、しかも、乗用車のトランクなどに収容できるおおきさに考案したものである。
【０００７】  また、排便、排尿後の処理方法としては、生分解性フィルムを使用した袋を利用し、土壌に放置又は埋設することによって生分解させるように工夫した。
【０００８】  さらに、上記、生分解性フィルムを使用した袋の中には、汚物、尿等の凝固材を内包し、使用後は、汚物、尿を凝固させる。
【０００９】  本考案の本体基材はパイプ材を使用し、軽量化を図り、遮蔽布（１１）の外装包布材には、厚地のテント地などではなく、不透視の織布や不織布を使用し、軽量化を図っている。
【考案の効果】
【００１０】  本考案の本体基材は、軽量化のため、アルミなどの軽金属のパイプ材を使用しているため、軽量で、婦人でも、中学生でも容易に移動組み立てができる。
【００１１】  本考案の組み立て方法は、簡単で容易である。
【００１２】  本考案の遮蔽布の外装包布材には、厚地のテント地などではなく、不透視の織布や不織布を使用しているため、簡単に覆うことができることと、軽量化がなされている。
【考案を実施するための最良の形態】
【００１３】  まず、本考案のフレームについて、図１０、図１１、図１２、図１３によって説明する。【００１４】  図１０の伸縮部フレーム（１−Ａ）は、図１１の基本フレーム（２−Ａ）のパイプに潜入させるため基本フレーム（２−Ａ）の部材よりサイズの小さい口径のパイプを使用する。
上記同様、図１２の伸縮部フレーム（１−Ｂ）も図１３の基本フレーム（２−Ｂ）のパイプに潜入させるため基本フレーム（２−Ｂ）の部材よりサイズの小さい口径のパイプを使用する。
これは、本考案を輸送する場合に、小さくして運搬するために伸縮可能にしたものである。【００１５】  図１、図２は、それぞれの基本フレームに伸縮フレームを潜入させた正面図である。
こうして制作した各フレームを図３に示すように支軸（４）及びナット（５）で軸着すると基本のフレームが完成する。図４は、こうして完成した基本フレームを開脚した図である。
図４に示す開脚ブリッジアーム（６）は、蝶番（７）により開脚、閉脚によって、中央より中折れして上下する。
この開脚ブリッジアーム（６）は、便座受け軸Ａ（３−Ａ）、便座受け軸Ｂ（３−Ｂ）にブリッジ状に軸着することによって、基本フレームＡ及び基本フレームＢの開脚のストップの働きと、便座（８）を載設するために使用する。【００１６】  図６は、本考案のフレーム及び便座（８）を取り付けた平面図であるが、それぞれの基本フレームに溶着された便座受け軸Ａ（３−Ａ）及び便座受け軸Ｂ（３−Ｂ）に軸着された開脚ブリッジアーム（６）に、便座（８）を図のように中央を切断し、便座取り付けビス（９）で取り付ける。詳細は図７、図８に示すとおりである。【００１７】  こうして完成されたフレームに遮蔽用の遮蔽布（１１）を張り巡らし、完成させる。
完成斜視図は図１５の通りである。【００１８】  また、図５に示す、排便処理袋（１０）には生分解性フィルムを使用し、袋の中には、汚物、尿等の凝固材を内包し、用便後は、汚物、尿を凝固させる。
【実施例１】  この組み立て式簡易トイレは、災害用非常用に考案されたものであるため、フレーム部材は、アルミパイプなどの軽金属が最適であるが、木質材等でも製作可能である。
【実施例２】  また、図１、図２に示すフレームは、フレームの軽量化及びコスト軽減を図るため、下方の地面接地部のＵ字部分なくし、２本のフレームにキャスターなどを取り付けると、組み立て設置後は移動が容易になる。
【実施例３】  また、遮蔽布（１１）も不透明のビニール材を使用してもよい。
【図面の簡単な説明】
【００１９】
【図１】本考案のフレームＡの正面図
【図２】本考案のフレームＢの正面図
【図３】本考案のフレームＡとフレームＢを支軸４及びナット５で軸着したフレームの正面図
【図４】本考案のフレームＡとフレームＢを支軸４及びナット５で軸着したフレームの側面図
【図５】本考案のフレームＡとフレームＢを支軸４及びナット５で軸着したフレームの開脚及び閉脚を表した側面図
【図６】本考案のフレームＡとフレームＢを支軸４及びナット５で軸着したフレームの開脚したときの平面図
【図７】便座部分の底面図
【図８】便座及び排便処理袋の詳細側面図
【図９】便座部分の斜視図
【図１０】本考案のフレームＡの伸縮部フレームの正面図
【図１１】本考案のフレームＡの基本部フレームの正面図
【図１２】本考案のフレームＢの伸縮部フレームの正面図
【図１３】本考案のフレームＢの基本部フレームの正面図
【図１４】本考案の正面図
【図１５】本考案の斜視図
【符号の説明】
【００２０】  １−Ａ．本考案のフレームＡの伸縮部フレーム
１−Ｂ．本考案のフレームＢの伸縮部フレーム
２−Ａ．本考案のフレームＡの基本部フレーム
２−Ｂ．本考案のフレームＢの基本部フレーム
３−Ａ．本考案の便座受け軸Ａ
３−Ｂ．本考案の便座受け軸Ｂ
４−Ａ．スライド伸縮フレームストッパーＡ
４−Ｂ．スライド伸縮フレームストッパーＢ
４．支軸
５．ナット
６．開脚ブリッジアーム
７．ヒンジ部蝶番
８．便座
９．便座取り付けビス
１０．排便処理袋
１１．遮蔽布
１２．ファスナー
１３．のぞき窓
２０．フレーム１をフレーム２に潜入させる位置の線
【図１】
0003112085.tif 000003
【図２】
0003112085.tif 000004
【図３】
0003112085.tif 000005
【図４】
0003112085.tif 000006
【図５】
0003112085.tif 000007
【図６】
0003112085.tif 000008
【図７】
0003112085.tif 000009
【図８】
0003112085.tif 000010
【図９】
0003112085.tif 000011
【図１０】
0003112085.tif 000012
【図１１】
0003112085.tif 000013
【図１２】
0003112085.tif 000014
【図１３】
0003112085.tif 000015
【図１４】
0003112085.tif 000016
【図１５】
0003112085.tif 000017
【手続補正書】
【提出日】平成17年3月29日(2005.3.29)
【手続補正１】
【補正対象書類名】実用新案登録請求の範囲
【補正対象項目名】全文
【補正方法】変更
【補正の内容】
【実用新案登録請求の範囲】
【請求項１】
本考案のフレーム基材（１−Ａ，２−Ａ，３−Ａ，１−Ｂ，２−Ｂ，３−Ｂ）は軽金属からなり、その二つのフレーム基材を二箇所の支軸（４）及びナット（５）で軸着し、前述したフレームには、便座受け軸Ａ（３−Ａ）及び便座受け軸Ｂ（３−Ｂ）を溶着し、その便座受け軸Ａ（３−Ａ）及び便座受け軸Ｂ（３−Ｂ）に開脚ブリッジアーム（６）をブリッジの状態で軸着し、さらにその開脚ブリッジアーム（６）の上に、便座（８）をビスなどで締着し、そのようにして完成したフレームに、ファスナー（１２）及びのぞき窓（１３）のついた遮蔽布（１１）をかぶせた状態で取り付け、さらに、排便処理袋（１０）には生分解性フィルムで製造した不透明の袋を使用し、その袋の中には、汚物、尿等の凝固材を内包すよるうに考案された、組み立て式簡易トイレ。